(57)【要約】【課題】番組を要約することによる利点を十分に享受することができ、しかもユーザにとっての取り扱いも便利にし得るようにした映像記録再生装置及び映像記録再生方法を提供することができる。【解決手段】複数の番組を記録する番組記録部と、前記番組記録部で記録された前記複数の番組を要約する番組要約部と、前記番組要約部で要約された前記複数の番組を記録する要約番組記録部と、前記要約番組記録部に記録された前記複数の要約番組を連続再生する要約番組再生部と、前記要約番組再生部で連続再生された前記複数の要約番組のうちで、再生中の前記要約番組の選択に基づき、前記選択された前記再生中の要約番組に対応する前記番組を前記番組記録部から取得し再生する番組再生部とを有する。【選択図】      図１
2007150975.tif 000002
【特許請求の範囲】
【請求項１】
複数の番組を記録する番組記録部と、
前記番組記録部で記録された前記複数の番組を要約する番組要約部と、
前記番組要約部で要約された前記複数の番組を記録する要約番組記録部と、
前記要約番組記録部に記録された前記複数の要約番組を連続再生する要約番組再生部と、
前記要約番組再生部で連続再生された前記複数の要約番組のうちで、再生中の前記要約番組の選択に基づき、前記選択された前記再生中の要約番組に対応する前記番組を前記番組記録部から取得し再生する番組再生部と
を有することを特徴とする映像記録再生装置。
【請求項２】
前記番組要約部で要約する番組は、予め設定されたジャンルに即したものを抽出することを特徴とする請求項1記載の映像記録再生装置。
【請求項３】
前記番組要約部で要約する番組は、視聴記録がないものを抽出することを特徴とする請求項1記載の映像記録再生装置。
【請求項４】
前記番組要約部は、要約した番組にテロップまたは音声を合成することを特徴とする請求項1記載の映像記録再生装置。
【請求項５】
前記要約番組記録部は、連続再生する前記複数の要約番組の再生順位と、前記要約番組名と、前記番組名とを対応させたテーブルを記録することを特徴とする請求項1記載の映像記録再生装置。
【請求項６】
番組情報を取得する取得部と、
前記取得部で取得した番組情報から得られる予め指定されたジャンルのリアルタイム番組が予め指定された時間以内に開始されるかどうかを判断し、開始の判断に基づき、前記要約番組再生部で再生される前記要約番組に割り込んで、前記リアルタイム番組が開始される旨を知らせる画面を一定時間挿入する制御部と
を有することを特徴とする請求項1記載の映像記録再生装置。
【請求項７】
前記制御部による前記画面の一定時間の挿入の間の再生指示に基づき、チャンネルを前記リアルタイム番組に切り替えることを特徴とする請求項６記載の映像記録再生装置。
【請求項８】
前記要約番組再生部による前記要約番組の再生は、予め設定された時刻に開始することを特徴とする請求項６記載の映像記録再生装置。
【請求項９】
前記要約番組再生部による前記要約番組の再生は、電源ＯＮ時に開始することを特徴とする請求項６記載の映像記録再生装置。
【請求項１０】
前記要約番組再生部による前記要約番組の再生は、ＣＭ時に開始することを特徴とする請求項６記載の映像記録再生装置。
【請求項１１】
前記要約番組再生部による前記要約番組の再生は、１つの再生した番組の終了の後に開始することを特徴とする請求項６記載の映像記録再生装置。
【請求項１２】
複数の番組を記録し、
前記記録された前記複数の番組を要約し、前記要約された前記複数の番組を記録し、
前記記録された前記複数の要約番組を連続再生し、
前記連続再生された前記複数の要約番組のうちで、再生中の前記要約番組の選択に基づき、前記選択された前記再生中の要約番組に対応する前記番組を再生する
ことを特徴とする映像記録再生方法。
【請求項１３】
番組情報を取得し、
前記取得した番組情報から得られる予め指定されたジャンルのリアルタイム番組が予め指定された時間以内に開始されるかどうかを判断し、前記開始の判断に基づき、前記再生される前記要約番組に割り込んで、前記リアルタイム番組が開始される旨を知らせる画面を一定時間挿入する
ことを特徴とする請求項1２記載の映像記録再生方法。
【発明の詳細な説明】
【技術分野】
【０００１】
この発明は、特に記録した番組の要約を再生してユーザに視聴させることを可能とした映像記録再生装置及び映像記録再生方法の改良に関する。
【背景技術】
【０００２】
周知のように、近年では、例えばＨＤＤ（hard disk drive）やＤＶＤ（digital versatile disk）等の情報記録媒体に対して、記録容量の飛躍的な向上が図られている。そして、このような大容量の情報記録媒体を、放送番組の記録予約が可能な映像記録再生装置に使用することによって、多くの番組を記録することが可能となっている。
【０００３】
一方、現在においては、記録した番組の映像データ及び音声データ等に対して場面分析や音声解析を施すことにより、その番組をユーザに対して内容理解が失われない範囲内で要約する技術が確立してきている。
【０００４】
そして、このような番組の要約技術を、上述した映像記録再生装置に適用することにより、記録された多数の番組をユーザが視聴する際の効率化を図ることができるようになる。
【０００５】
ところで、番組を要約して記録可能な映像記録再生装置にあっては、記録した要約番組を視聴する際に、ユーザが専用の操作を行なって要約番組視聴モードを選択するように構成されている。すなわち、所定のモード設定画面を表示させて、カーソルの移動やページ移動というような、一般のテレビジョン番組の視聴時とは異なる操作を行なって始めて要約番組を視聴することができるようになるため、ユーザにとって取り扱いが煩雑になるという問題を有している。
【０００６】
つまり、要約番組を視聴するのかしないのかは、ユーザの極めて能動的な行動によって左右されることになるため、記録した要約番組が視聴されないまま、ただ溜まっていくというケースも多く発生し、番組を要約したことによる利点がまったく活かされないという事態も発生することになる。
【０００７】
特許文献１には、記録した番組を視聴する際に、ユーザが一度途中まで視聴して中断した番組を再度視聴する場合、前回視聴済みの場面までは要約して再生し、その先は要約していない通常の番組再生を行なうようにした構成が開示されている。しかしながら、この特許文献１では、数多く記録された番組の中から途中で視聴を中断した番組を再度検索することが困難となる。
【特許文献１】特開２００４−３３６７８７公報
【発明の開示】
【発明が解決しようとする課題】
【０００８】
そこで、この発明は上記事情に基づいてなされたもので、番組を要約することによる利点を十分に享受することができ、しかもユーザにとっての取り扱いも便利にし得るようにした映像記録再生装置及び映像記録再生方法を提供することを目的とする。
【課題を解決するための手段】
【０００９】
この発明は上記の目的を達成するために、複数の番組を記録する番組記録部と、前記番組記録部で記録された前記複数の番組を要約する番組要約部と、前記番組要約部で要約された前記複数の番組を記録する要約番組記録部と、前記要約番組記録部に記録された前記複数の要約番組を連続再生する要約番組再生部と、前記要約番組再生部で連続再生された前記複数の要約番組のうちで、再生中の前記要約番組の選択に基づき、前記選択された前記再生中の要約番組に対応する前記番組を前記番組記録部から取得し再生する番組再生部とを備える。
【発明の効果】
【００１０】
上記のような構成によれば、番組を要約することによる利点を十分に享受することができ、しかもユーザにとっての取り扱いも便利にし得るようにした映像記録再生装置及び映像記録再生方法を提供することができる。
【発明を実施するための最良の形態】
【００１１】
以下この発明の実施の形態について図面を参照して説明する。図１は、この実施形態で説明する映像記録再生装置を示している。図１に示す映像記録再生装置は、情報記録媒体として、ＤＶＤ等の光ディスクとハードディスクとの双方を取り扱うことができる装置として示しているが、情報記録媒体としては、例えば半導体メモリ等に置換されてもよいものである。
【００１２】
図１において、各ブロックを大きく分けると、左側には記録部の主なブロックを示し、右側には再生部の主なブロックを示している。
【００１３】
図１に示す映像記録再生装置は、ディスクドライブ部１００２とＨＤＤ部（番組記録部）２００１との２種類のディスクドライブを有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系等を有する。また、ＨＤＤ部２００１は、第２のメディアとしてのハードディスクを駆動する。
【００１４】
データプロセッサ部１００３は、ディスクドライブ部１００２及びＨＤＤ部２００１に記録データを供給することができ、また、再生された信号を受け取ることができる。データプロセッサ部１００３は、記録または再生単位のデータを取り扱うもので、バッファ回路、変調・復調回路、エラー訂正部等を含む。
【００１５】
また、図１に示す映像記録再生装置は、記録側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１６】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１７】
エンコーダ部５０からのエンコード出力は、バッファメモリ５２を含むフォーマッタ５１にて所定のＤＶＤ−ＲＡＭ（random access memory）のフォーマットに変換され、先のデータプロセッサ部１００３に供給される。なお、トランスポートストリームから抽出したパケットエレメンタリーストリームが、エンコーダ部５０から直接ＨＤＤ部２００１のハードディスクに記録される場合もある。
【００１８】
エンコーダ部５０には、スイッチ５３を介して、Ａ／Ｖ（audio／video）入力部４１ａから得られる外部アナログビデオ信号と外部アナログオーディオ信号とを入力することができる。
【００１９】
また、エンコーダ部５０には、スイッチ５３を介して、地上波アナログチューナ４１ｂ、地上波デジタルチューナ４１ｃ、衛星ＢＳ（broadcasting satellite）／ＣＳ（communication satellite）チューナ４１ｄ、衛星アナログチューナ４１ｅからの受信信号を選択的に入力することができる。
【００２０】
そして、エンコーダ部５０で複数のエンコーダが活用される場合、地上波デジタルチューナ４１ｃで受信した番組をＨＤＤ部２００１で記録し、同時に、衛星ＢＳ／ＣＳチューナ４１ｄで受信した番組を視聴することも可能である。
【００２１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。また、エンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるＭＰＥＧ（moving picture experts group）ビデオエンコーダでは、デジタルビデオ信号はＭＰＥＧ２またはＭＰＥＧ１規格に基づいた可変ビットレートで圧縮されたデジタルビデオ信号に変換される。
【００２３】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００２４】
副映像信号がＡ／Ｖ入力部４１ａから入力された場合（例えば副映像信号の独立出力端子付ＤＶＤビデオプレーヤからの信号等）、または、このようなデータ構成のＤＶＤビデオ信号が放送されて、それが図示しないＴＶ（television）チューナ部で受信された場合は、ＤＶＤビデオ信号中の副映像信号が副映像エンコーダでエンコード（ランレングス符号化）されて副映像のビットマップとなる。
【００２５】
エンコードされたデジタルビデオ信号、デジタルオーディオ信号、副映像データは、フォーマッタ５１にてパック化され、ビデオパック、オーディオパック、副映像パックとなり、さらに、これらが集合されて、ＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ５１は、上記の変換処理のときに、バッファメモリ５２も利用している。
【００２６】
図１に示す映像記録再生装置は、フォーマッタ５１でフォーマット化された情報（ビデオ、オーディオ、副映像データ等のパック）及び作成された管理情報を、データプロセッサ部１００３を介してＨＤＤ部２００１またはディスクドライブ部１００２に供給し、ハードディスクまたは光ディスク１００１に記録することができる。
【００２７】
また、ハードディスクまたは光ディスク１００１に記録された情報を、データプロセッサ部１００３及びディスクドライブ部１００２を用いて光ディスク１００１またはハードディスクに記録することもできる。
【００２８】
さらに、ハードディスクまたは光ディスク１００１に記録されている複数番組のビデオオブジェクトを、一部削除したり、異なる番組のオブジェクトをつなげたり、といった編集処理を行なうこともできる。
【００２９】
マイクロコンピュータブロック３０は、ＭＰＵ（micro processor unit）またはＣＰＵ（central processing unit）と、制御プログラム等が書きこまれたＲＯＭ（read only memory）と、プログラム実行に必要なワークエリアを提供するためのＲＡＭとを含んでいる。
【００３０】
マイクロコンピュータブロック３０は、ネットワークＩ／Ｆ（interface）３０ａを介して、外部ネットワークに接続することが可能である。これにより、外部のサーバから電子番組案内情報（ＤＥＰＧ：dynamic electronic program guide）を取り込むことも可能である。
【００３１】
マイクロコンピュータブロック３０の実行結果のうち、ユーザに通知すべき内容は、映像記録再生装置の表示部４３に表示されるか、または、モニターディスプレイ３００１にＯＳＤ（on screen display）表示される。
【００３２】
また、マイクロコンピュータブロック３０は、この映像記録再生装置を操作するための操作信号を与えるキー操作入力部４４を有する。このキー操作入力部４４は、例えば映像記録再生装置の本体上に設けた操作スイッチ類や、後述するリモートコントローラ２０等に相当する。また、映像記録再生装置と有線通信または無線通信（光通信や赤外線通信等を含む）等の手段を用いて接続されたＰＣ（personal computer）であってもよい。いずれの形態であっても、ユーザがこのキー操作入力部４４を操作することにより、入力された映像音声信号の記録処理や、記録されたコンテンツの再生処理、または記録されたコンテンツに対する編集処理等を施すことができる。
【００３３】
なお、マイクロコンピュータブロック３０が、ディスクドライブ部１００２、ＨＤＤ部２００１、データプロセッサ部１００３、エンコーダ部５０及び／またはデコーダ部６０等を制御するタイミングは、ＳＴＣ（system time clock）３９からの時間データに基づいて実行することができる。記録や再生の動作は、通常はＳＴＣ３９からのタイムクロックに同期して実行されるが、それ以外の処理はＳＴＣ３９とは独立したタイミングで実行されてもよい。
【００３４】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶ（video）デコーダと、セパレータで分離された副映像データ（副映像パックの内容）をデコードするＳＰ（sub picture）デコーダと、セパレータで分離されたオーディオデータ（オーディオパックの内容）をデコードするＡ（audio）デコーダとを有する。また、デコードされた主映像にデコードされた副映像を適宜合成し、主映像にメニュー、ハイライトボタン、字幕やその他の副映像を重ねて出力するビデオプロセッサを備えている。
【００３５】
デコーダ部６０の出力ビデオ信号は、ビデオミキシング部７１に入力される。ビデオミキシング部７１では、例えばテキストデータの合成が行なわれる。また、ビデオミキシング部７１には、上記ＴＶチューナ部やＡ／Ｖ入力部４１aからの信号を直接取り込むラインも接続されている。ビデオミキシング部７１には、バッファとして用いるフレームメモリ部７２が接続されている。ビデオミキシング部７１の出力がアナログ出力の場合はＩ／Ｆ７３を介して外部出力され、デジタル出力の場合はデジタルアナログ変換器７４を介して外部へ出力される。
【００３６】
デコーダ部６０の出力オーディオ信号は、オーディオセレクタ７６を介してデジタルアナログ変換器７７でアナログ変換され外部に出力される。オーディオセレクタ７６は、マイクロコンピュータブロック３０からのセレクト信号により制御される。これにより、オーディオセレクタ７６は、上記ＴＶチューナ部やＡ／Ｖ入力部４１aからのデジタル信号を直接モニタするとき、エンコーダ部５０をスルーしたオーディオ信号を直接選択することも可能である。
【００３７】
なお、エンコーダ部５０のフォーマッタ５１では、記録中、各切り分け情報を作成し、定期的にマイクロコンピュータブロック３０のＭＰＵへ送る［ＧＯＰ（group of picture）先頭割り込み時等の情報］。切り分け情報としては、ＶＯＢＵ（video object unit）のパック数、ＶＯＢＵ先頭からのI（intra）ピクチャのエンドアドレス、ＶＯＢＵの再生時間等である。
【００３８】
同時に、図示しないアスペクト情報処理部からの情報が記録開始時にＭＰＵに送られ、ＭＰＵはＶＯＢ（video object）ストリーム情報（ＳＴＩ：stream information）を作成する。ここでＳＴＩは、解像度データ、アスペクトデータ等を保存し、再生時に、各デコーダ部ではこの情報を元に初期設定が行なわれる。
【００３９】
また、この映像記録再生装置では、ＤＶＤに記録するビデオファイルは１ディスクに１ファイルとしている。さらに、データをアクセス（シーク）している間に、途切れないで再生を続けるために、最低限連続する情報単位（サイズ）を決めている。この単位は、ＣＤＡ（contiguous data area）と称される。ＣＤＡサイズは、ＥＣＣ（error correcting code）ブロック（１６セクタ）の倍数であり、ファイルシステムではこのＣＤＡ単位で記録を行なっている。
【００４０】
データプロセッサ部１００３は、エンコーダ部５０のフォーマッタ５１からＶＯＢＵ単位のデータを受け取り、ＣＤＡ単位のデータをディスクドライブ部１００２あるいはＨＤＤ部２００１に供給している。
【００４１】
また、マイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報が光ディスク１００１またはハードディスクに記録される。このため、エンコードが行なわれているとき、マイクロコンピュータブロック３０のＭＰＵは、エンコーダ部５０からデータ単位の情報（切り分け情報等など）を受け取る。
【００４２】
さらに、マイクロコンピュータブロック３０のＭＰＵは、記録開始時に、光ディスク１００１及びハードディスクから読み取った管理情報（ファイルシステム）を認識して、各ディスクの未記録エリアを認識することにより、データプロセッサ部１００３を介してデータの記録エリアをディスクに設定している。
【００４３】
ここで、マイクロコンピュータブロック３０は、要約番組指定部３２、番組要約部３３、要約番組記録部３４、要約番組再生部３５、番組再生部３６、ＥＰＧ取得部３７、制御部３８を含んでいる。
【００４４】
このうち、要約番組指定部３２は、ＨＤＤ部２００１に記録されている多数の番組の中から要約する対象となる番組をユーザにキー操作入力部４４の操作により選択的に指定させる機能を有している。この要約指定部３２では、例えばユーザの記録履歴に基づいて設定されたジャンルまたはキーワード等を用いてＨＤＤ部２００１に自動記録された番組、つまり、お勧め番組を要約対象番組として指定することができる。この場合、指定された要約対象番組は、設定されたジャンルやキーワードに対する関連性の強さに基づいてお勧め順に並べられるものとする。
【００４５】
また、要約指定番組が指定されていない場合は、ＨＤＤ部２００１に記録されている全ての番組が要約対象として指定される。さらに、記録番組の中ですでに視聴済みのものはその再生履歴を辿って要約対象から除外され、まだ視聴していない記録番組だけが要約対象として記録された日時順に並べて指定される。
【００４６】
そして、番組要約部３３は、要約番組指定部３２で指定された番組をＨＤＤ部２００１から並べられた順番に従って順次抽出し、要約する。要約された記録番組は、要約番組記録部３４によってＨＤＤ部２００１に記録され、ここに複数の要約番組を連続的に並べて記録した、いわゆるプロモーション番組が作成される。
【００４７】
ここで、映像要約部３３では、場面分析や音声解析から番組の映像を短縮し、それにテロップや音声を合成して要約を作成している。
【００４８】
また、番組の映像の要約は、記録番組の先頭から一定時間を抽出して要約番組としても良い。この場合、番組全体を短縮させる要約番組を作成せずに、記録番組の開始時間と終了時間をプレイリスト形式で設定してある。
【００４９】
そして、要約番組再生部３５は、要約番組記録部３４に記録された要約番組を読出し、順次再生することにより、プロモーション番組による番組紹介が実現される。この番組紹介を実行するタイミングとしては、映像記録再生装置の電源ＯＮ時や、ユーザが視聴している番組がＣＭ（Commercial  Message）に切り替わった時点等が考えられる。また、ユーザがキー操作入力部４４を操作して番組紹介再生コマンドを要求したときや、予め設定したスケジュールに沿った時刻に達したとき等も考えられる。さらに、１つの番組の再生が終了したとき等も考えられる。
【００５０】
番組紹介により連続的に再生される多数の要約番組のうち、所望の要約番組の再生時に、ユーザが、キー操作入力部４４を介して、その番組を選択する。すると、要約番組再生部３５は、再生していた番組紹介を中断し、映像再生部３６は、選択された要約番組に対応する元の番組をＨＤＤ部２００１から取得し、再生する。
【００５１】
図２には、上記リモートコントローラ２０の外観を示している。主な操作キーを説明すると、符号２０ａは、電源をオンオフするための電源キーであり、符号２０ｂは、トップメニュー画面を表示させるためのトップメニューキーである。さらに、符号２０ＤＥは、決定キーであり、符号２０ＵＰ，２０ＤＷ，２０Ｒ，２０Ｌは、画面に表示されたカーソルをそれぞれ上、下、右、左に移動させるためのカーソル操作キーである。
【００５２】
この実施の形態では、番組要約部３３で作成された要約番組で構成される番組紹介を、専用の操作を行なうことなく再生することができ、ユーザは、再生されている要約番組から所望の番組があれば、例えば決定キー２０ＤＥを操作するだけで（つまりチャンネルを切り替えることなく）、その番組を視聴することができるので、ユーザにとっての取り扱いを便利にすることができる。
【００５３】
次に、図３に示すフローチャートを用いて、同実施の形態における映像記録再生装置に使用される番組要約部３３での要約番組の作成動作を説明する。この動作は、ＨＤＤ部２００１に記録されている番組の中から、お勧め順もしくは記録日時順に並べられた番組を順次要約するもので、まず開始（ステップＳ１）されると、ｉを１とし（ステップＳ２）、ｉ番目の番組がＨＤＤ部２００１に記録されているか否か判別する（ステップＳ３）。
【００５４】
ｉ番目の番組が存在しなかった場合は（ステップＳ３、ＮＯ）、番組の要約を終了する（ステップＳ４）。ｉ番目の番組が存在する場合は（ステップＳ３、ＹＥＳ）、ｉ番目の番組が未視聴かどうかを判断する（ステップＳ５）。未視聴の場合は（ステップＳ５、ＹＥＳ）、ｉ番目の番組の要約を作成する（ステップＳ６）。
【００５５】
そしてｉを＋１し（ステップＳ７）、ステップＳ３に移行して、ｉ番目の番組に対して上記と同様の処理が行われる。また、ｉ番目の番組が未視聴でない場合は（ステップＳ５、ＮＯ）、ｉを＋１し（ステップＳ７）、ステップＳ３に移行して、ｉ番目の番組に対して上記と同様の処理が行われる。
【００５６】
要約された番組は、要約番組記録部３４よりＨＤＤ部２００１に記録される。このとき、要約番組記録部３４では、図４に示すように、要約した番組の再生順位と、要約番組に対応する要約ファイル名（要約番組名）と、要約番組に対応するオリジナルの映像ファイル名（番組名）とを関連付けたテーブルを記録している。これにより、要約番組の再生中に所望の要約番組が再生されたとき、それをユーザが選択することにより、その元映像である番組をＨＤＤ部２００１から読み出して再生することが可能となる。
【００５７】
図５（ａ）、（ｂ）には、作成された要約番組で構成される番組紹介を再生し、ユーザが、再生される番組紹介の中から所望の要約番組を選択した時に、その選択された要約番組の元番組をＨＤＤ部２００１から読み出して再生するフローチャートを示す。
【００５８】
この動作が開始（ステップＳ１１）されると、要約番組再生部３５は、まず、ｉを１とし（ステップＳ１２）、再生順位がｉ番目のものが存在するか否かを検出する（ステップＳ１３）。再生順位がｉ番目のものが存在しなければ（ステップＳ１３、ＮＯ）、処理を終了する（ステップＳ１４）。
【００５９】
再生順位がｉ番目のものが存在すれば（ステップＳ１３、ＹＥＳ）、ユーザの割り込み許可となる（ステップＳ１５）。そして、図４に示す再生順位ｉ番目の要約ファイル名が指す要約番組を再生する（ステップＳ１６）。ｉ番目の要約番組の再生が終了すると、ユーザの割り込み禁止となる（ステップＳ１７）。
【００６０】
割り込み許可中に、ユーザからの割り込みがなかった場合（ステップＳ１８、ＮＯ）、ｉを＋１し（ステップＳ１９）、ステップＳ１３に移行して、ｉ番目の番組に対して上記と同様の処理が行われる。
【００６１】
ユーザからの割り込みがあった場合（ステップＳ１８、ＹＥＳ）、要約番組選択は終了する（ステップＳ１４）。ユーザの選択によって番組紹介に割り込みが入ると（ステップＳ２０）、要約番組再生部３５は、再生中の番組紹介を停止する（ステップＳ２１）。
【００６２】
次に、図４に示す選択された再生順位ｉ番目のオリジナルの映像ファイル名が指す番組をＨＤＤ部２００１から抽出し、再生する（ステップＳ２２）。そして、ユーザの選択による割り込みは終了する（ステップＳ２３）。
【００６３】
次に、番組紹介の再生における変形例として、図６（ａ）、（ｂ）に示すフローチャートを用いて説明する。図６（ａ）、（ｂ）は、例えばスポーツ等の生放送番組のようにリアルタイムで見ることが重要な番組が、例えば数分後に放送されるような場合、ユーザにそのような番組を紹介するための挿入画面を割り込ませる方法を示している。
【００６４】
この動作が開始（ステップＳ３１）されると、要約番組再生部３５は、まずｉを１とし、制御部３８はｆを０とし（ステップＳ３２）、任意に決められた時間Ｎ分以内に嗜好番組が存在するかどうか検出する（ステップＳ３３）。
【００６５】
任意に決められた時間Ｎ分以内に嗜好番組が存在しなければ（ステップＳ３３、ＮＯ）、
再生順位がｉ番目のものが存在するか否かを検出する（ステップＳ３４）。再生順位がｉ番目のものが存在しなければ（ステップＳ３４、ＮＯ）、処理を終了する（ステップＳ３５）。
【００６６】
再生順位がｉ番目のものが存在すれば（ステップＳ３４、ＹＥＳ）、ユーザの割り込み許可となる（ステップＳ３６）。そして、図４に示す再生順位ｉ番目の要約ファイル名が指す要約番組を再生する（ステップＳ３７）。ｉ番目の要約番組の再生が終了すると、ユーザの割り込み禁止となる（ステップＳ３８）。
【００６７】
割り込み許可中に、ユーザからの割り込みがなかった場合（ステップＳ３９、ＮＯ）、ｉを＋１し（ステップＳ４０）、ステップＳ３３に移行して、ｉ番目の番組に対して上記と同様の処理が行われる。ユーザからの割り込みがあった場合（ステップＳ３９、ＹＥＳ）、要約番組選択は終了する（ステップＳ３５）。
【００６８】
任意に決められた時間Ｎ分以内に嗜好番組が存在すれば（ステップＳ３３、ＹＥＳ）、制御部３８は、ｆを１とし（ステップＳ４１）、ユーザの割り込み許可となる（ステップＳ３６）。そして、図７に示すような嗜好番組がまもなく始まる旨を表示する表示画面を一定時間挿入する（ステップＳ４３）。表示画面の挿入時間が経過すると、ユーザの割り込み禁止となり（ステップＳ４４）、ｆは０とする（ステップＳ４５）。
【００６９】
割り込み許可中に、ユーザからの割り込みがなかった場合（ステップＳ４６、ＮＯ）、ステップＳ３３に戻る。ユーザからの割り込みがあった場合（ステップＳ４６、ＹＥＳ）、嗜好番組の選択は終了する（ステップＳ３５）。
【００７０】
ユーザの選択によって割り込みが入ると（ステップＳ４７）、要約番組再生部３５は、再生中の番組紹介を停止し（ステップＳ４８）、ｆ＝１か否かを検出する（ステップＳ４９）。
【００７１】
ｆ＝１でない場合（ステップＳ４９、ＮＯ）、図４に示す選択された再生順位ｉ番目のオリジナルの映像ファイル名が指す番組をＨＤＤ部２００１から抽出し、再生する（ステップＳ５０）。そして、ユーザの選択による割り込みは終了する（ステップＳ５２）。
【００７２】
また、ｆ＝１である場合（ステップＳ４９、ＹＥＳ）、挿入画面に示された嗜好番組にチャンネルを変更する（ステップＳ５１）。そして、ユーザの選択による割り込みは終了する（ステップＳ５２）。
【００７３】
上記した嗜好番組が始まる旨の挿入画面を図７に示す。挿入画面は、図８に示すように、ジャンルによってメッセージや背景色を変化させても良い。各ジャンルに対応する番組情報は、ＥＰＧ取得部３７によって取得可能であり、挿入画面と同時にＥＰＧに付属の番組説明を音声合成もしくはテロップで出力しても良い。
【００７４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７５】
【図１】この発明の実施の形態を示すもので、映像記録再生装置の構成を説明するために示す図。
【図２】同実施の形態における映像記録再生装置に使用されるキー操作入力部の構成を説明するために示す図。
【図３】同実施の形態における映像記録再生装置に使用される番組要約部での要約番組の作成を説明するために示すフローチャート。
【図４】同実施の形態における映像記録再生装置で作成される要約番組のメタデータを示す図。
【図５】同実施の形態における映像記録再生装置で作成される要約番組の再生を説明するために示すフローチャート。
【図６】同実施の形態における映像記録再生装置で生番組による割り込みを説明するために示すフローチャート。
【図７】同実施の形態における映像記録再生装置で生番組による割り込みテロップの挿入を説明するために示す図。
【図８】同実施の形態における映像記録再生装置で生番組による割り込みテロップのテンプレートを説明するために示す図。
【符号の説明】
【００７６】
２０…リモートコントローラ、３０…マイクロコンピュータブロック、３０ａ…ネットワークＩ／Ｆ、３１…ワークＲＡＭ、３２…要約番組指定部、３３…番組要約部、３４…要約番組記録部、３５…要約番組再生部、３６…番組再生部、３７…ＥＰＧ取得部、３８…制御部、３９…ＳＴＣ、４１ａ…Ａ／Ｖ入力部、４１ｂ…地上波アナログチューナ、４１ｃ…地上波デジタルチューナ、４１ｄ…衛星ＢＳ／ＣＳチューナ、４１ｅ…衛星アナログチューナ、４３…表示部、４４…キー操作入力部、５０…エンコーダ部、５１…フォーマッタ、５２…バッファメモリ、５３…スイッチ、６０…デコーダ部、７１…ビデオミキシング部、７２…フレームメモリ部、７３…Ｉ／Ｆ、７４…デジタルアナログ変換器、７６…オーディオセレクタ、７７…デジタルアナログ変換器、１００１…光ディスク、１００２…ディスクドライブ部、１００３…データプロセッサ部、２００１…ＨＤＤ部（番組記録部）、３００１…モニターディスプレイ。
【図１】
2007150975.tif 000003
【図２】
2007150975.tif 000004
【図３】
2007150975.tif 000005
【図４】
2007150975.tif 000006
【図５】
2007150975.tif 000007
【図６】
2007150975.tif 000008
【図７】
2007150975.tif 000009
【図８】
2007150975.tif 000010